(57)【特許請求の範囲】
【請求項１】
一枚の段ボールに、内壁と外壁の二重壁を形成する二重折り目を設けた左右側壁片と、該内壁と外壁の間隙に挿嵌させる差込片が連設された前後側壁片とが、底面の四辺に対向して連設され、これを折り上げて組み立てられ、苺パックの上端部に形成されているフランジの少なくとも二箇所を支持して、苺パックを底面から浮かせて収納するようにした苺パック収納用トレーにおいて、該苺パック収納用トレーは２個の苺パックを収納するものであって、該苺パックを支持するその一箇所は、該フランジの長縁とし、該左右側壁片の内壁を形成する片の両端に連設された支持片を前後側壁の内側へ折り曲げて、その下端が前後側壁の下端線上に当接して上端に向かって内側へ漸次傾斜させて立設したものであり、別の箇所は、前記左右側壁の中央に内壁の一部を内側へ切り出して形成した掛架部で該フランジの短縁の端部を支持し、該掛架部は、苺パックの左右側壁方向の移動を規制する係止部を挟んで２個設け、該係止部は、外壁の頂部から鋭角に傾斜して張り出して形成し、さらに、底面の中央部左右に苺パックを取り出すための押上片が形成されていることを特徴とする苺パック収納用トレー。
【請求項２】
一枚の段ボールに、内壁と外壁の二重壁を形成する二重折り目を設けた左右側壁片と、該内壁と外壁の間隙に挿嵌させる差込片が連設された前後側壁片とが、底面の四辺に対向して連設され、これを折り上げて組み立てられ、苺パックの上端部に形成されているフランジの少なくとも二箇所を支持して、苺パックを底面から浮かせて収納するようにした苺パック収納用トレーにおいて、該苺パック収納用トレーは別の段ボールで折り上げた十字状中仕切を挿嵌して、４個の苺パックを収納するものであって、該苺パックを支持するその一箇所は、該フランジの短縁とし、該左右側壁片の内壁を形成する片の両端に連設された支持片を前後側壁の内側へ折り曲げて、その下端が前後側壁の下端線上に当接して上端に向かって内側へ漸次傾斜させて立設したものであり、該十字状中仕切の横仕切片は、横中央部に形成した切れ目（２２ａ）と、これを挟む平行な２個の折れ目（２２ｅ，２２ｆ）により上方へ突出した立設片２２Ｂが形成された伏コ字状であり、該苺パックを支持する別の箇所は、該短縁と対向する短縁で、該横仕切片の立設片２２Ｂであることを特徴とする苺パック収納用トレー。
【発明の詳細な説明】
【技術分野】
【０００１】
この発明は、複数個の苺パックを収納する段ボール製のトレーに関するものである。
【背景技術】
【０００２】
苺パックの輸送や保管のため、一枚の段ボールを折り上げて組み立てたトレーが使用されている。出願人は、先に、苺の品質保持のため、苺パックの上端周縁のフランジを支持してトレーの底面から浮かせて収納するようにしたトレーを開発している（例えば、特許文献１）。
【０００３】
特許文献１のトレーは、一枚の段ボールから折り上げた箱の中に、十字状中仕切りを装着して、４個の苺パックを収納するもので、苺パックの上端周縁のフランジを側壁から拡開された支持片と十字状中仕切りで掛架支持している。すなわち、苺パックのフランジの支持の一つは、二重壁を形成する左右側壁の内壁の端部に連設した支持片および十字状中仕切の縦仕切の両端に連設した支持片を拡開させてトレーの四隅と中程に斜めに形成してフランジの隅縁を支持し、さらに、十字状中仕切の横仕切に形成した支持部にフランジの短縁を支持するようにしている。
【先行技術文献】
【特許文献】
【０００４】
【特許文献１】特開２００４−２７６９５４号公報
【発明の開示】
【発明が解決しようとする課題】
【０００５】
特許文献１の苺パック収納用トレーは、複数の仕切区画毎に苺パックを底面から浮かせて支持する支持部（受台）を簡便に形成できる。しかしながら、苺パックのフランジの一端を支持する支持片は、苺パックのフランジの隅縁にのみ係止させているので、内容物の重量により苺パックが歪み、移動時の振動や衝撃により、支持片から外れてしまうことがある、という問題がある。
【０００６】
そこで、本発明は、簡便な構成で苺パックの歪が少なく、底面から浮かせて安定して支持される手段を備えた苺パック収納用トレーを提供することを目的としている。
【課題を解決するための手段】
【０００７】
上記の目的を解決するため、請求項１の発明の苺パック収納用トレーは、次のように構成した。すなわち、一枚の段ボールに、内壁と外壁の二重壁を形成する二重折り目を設けた左右側壁片と、該内壁と外壁の間隙に挿嵌させる差込片が連設された前後側壁片とが、底面の四辺に対向して連設され、これを折り上げて組み立てられ、苺パックの上端部に形成されているフランジの少なくとも二箇所を支持して、苺パックを底面から浮かせて収納するようにした苺パック収納用トレーにおいて、該苺パック収納用トレーは２個の苺パックを収納するものであって、該苺パックを支持するその一箇所は、該フランジの長縁とし、該左右側壁片の内壁を形成する片の両端に連設された支持片を前後側壁の内側へ折り曲げて、その下端が前後側壁の下端線上に当接して上端に向かって内側へ漸次傾斜させて立設したものであり、別の箇所は、前記左右側壁の中央に内壁の一部を内側へ切り出して形成した掛架部で該フランジの短縁の端部を支持し、該掛架部は、苺パックの左右側壁方向の移動を規制する係止部を挟んで２個設け、該係止部は、外壁の頂部から鋭角に傾斜して張り出して形成し、さらに、底面の中央部左右に苺パックを取り出すための押上片が形成されていることを特徴としている。
【０００８】
ここで、苺パックは、ＰＥＴ樹脂等からなる透明なプラスチック製容器であり、直方体状で上部が開放され、上端部の周縁にフランジが形成されたものを指している。
フランジの長縁、短縁という用語は、この明細書においては、苺パックの長手方向にあるものを長縁、それに直角方向にあるものを短縁といい、四隅にあるものを隅縁というものとする。
また、苺パックは、主として苺を収納することを意味し、葡萄やさくらんぼなどの果物や青果物を収納する場合を含むものとする。
【０００９】
苺パック収納用トレーの左右側壁は、内壁と外壁からなる二重壁とし、前後側壁は、一枚の壁である。
苺パックはフランジの二箇所が支持されてトレーの底面から浮いた状態で収納されるが、その一箇所は、苺パックの長縁であり、前後側壁の内側に立設した支持片で支持する。
【００１０】
支持片は、左右側壁の内壁を形成する片の両端に連設され、下端から上端に向かって内側へ漸次傾斜するように折り曲げて形成する。そして、支持片の下端が前後側壁の下端線上に当接させて立設する。
なお、支持片の長さは、特に限定しないが、できるだけフランジとの支持面積を大きくし、支持片同士が重ならないように、例えば、前後側壁の長さの３０〜４５％とするのが望ましい。また、高さは、振動などによっても苺パックの底部がトレーの底面に当接しないように選定すればよい。
【００１１】
苺パックのフランジの他の箇所の支持の手段は、左右側壁の中央に内壁の一部を内側へ切り出して形成した掛架部で該フランジの短縁の端部を支持し、該掛架部は、苺パックの左右側壁方向の移動を規制する係止部を挟んで２個設け、該係止部は、外壁の頂部から鋭角に傾斜して張り出して形成したものとする。
なお、この苺パック収納用トレーは、収納された苺パックをトレーから取り出すときは、指が入る隙間がないので難しい。このトレーの底面の中央部左右に押上片が形成されており、これを押し上げることにより簡便に苺パックを取り出すことができる。
【００１２】
また、請求項２の発明の苺パック収納用トレーは、次のように構成した。すなわち、一枚の段ボールに、内壁と外壁の二重壁を形成する二重折り目を設けた左右側壁片と、該内壁と外壁の間隙に挿嵌させる差込片が連設された前後側壁片とが、底面の四辺に対向して連設され、これを折り上げて組み立てられ、苺パックの上端部に形成されているフランジの少なくとも二箇所を支持して、苺パックを底面から浮かせて収納するようにした苺パック収納用トレーにおいて、該苺パック収納用トレーは別の段ボールで折り上げた十字状中仕切を挿嵌して、４個の苺パックを収納するものであって、該苺パックを支持するその一箇所は、該フランジの短縁とし、該左右側壁片の内壁を形成する片の両端に連設された支持片を前後側壁の内側へ折り曲げて、その下端が前後側壁の下端線上に当接して上端に向かって内側へ漸次傾斜させて立設したものであり、該十字状中仕切の横仕切片は、横中央部に形成した切れ目（２２ａ）と、これを挟む平行な２個の折れ目（２２ｅ，２２ｆ）により上方へ突出した立設片２２Ｂが形成された伏コ字状であり、該苺パックを支持する別の箇所は、該短縁と対向する短縁で、該横仕切片の立設片２２Ｂで支持するようにしたことを特徴としている。
【発明の効果】
【００１３】
請求項１の発明の苺パック収納用トレーは、苺パックを支持するその一箇所は、苺パックのフランジの長縁とし、左右側壁片の内壁を形成する片の両端に連設された支持片を前後側壁の内側へ折り曲げて、下端から上端に向かって内側へ漸次傾斜させて立設したものなので、苺パックをフランジの長縁である程度の長さを支持でき、苺パックが変形し難く安定した収納ができる。しかも、支持片の下端が前後側壁の下端線上に当接して立設するので、苺パックの重量をトレーの底縁で受けることになり、苺パックの支持が確実にできる。
また、フランジの他方の支持を、左右側壁の中央に内壁の一部を内側へ切り出して形成した掛架部で該フランジの短縁の端部を支持し、該掛架部は、苺パックの左右側壁方向の移動を規制する係止部を挟んで２個設け、該係止部は、外壁の頂部から鋭角に傾斜して張り出して形成したので、別途段ボールを用いて仕切を作る必要がなく、掛架部および係止部も簡単に形成できる。
【００１４】
請求項２の発明の苺パック収納用トレーは、４個の苺パックを収納するトレーで、支持するその一箇所は、苺パックのフランジの短縁とし、左右側壁片の内壁を形成する片の両端に連設された支持片を前後側壁の内側へ折り曲げて、下端から上端に向かって内側へ漸次傾斜させて立設したものなので、苺パックをフランジの短縁である程度の長さを支持でき、他方の箇所は、該短縁と対向する短縁であり、該十字状中仕切の横仕切片に形成した立設片で支持するので、丈夫で、安定した支持ができる。
【図面の簡単な説明】
【００１５】
【図１】苺パック３０の斜視図である。
【図２】請求項１の発明の苺パック収納用トレーの実施の形態を示す斜視図である。
【図３】同、苺パック収納用トレーの展開図である。
【図４】同、図１に示す掛架部および係止部を示す拡大斜視図である。
【図５】同、トレーに苺パックを収納した状態を示す斜視図である。
【図６】同、図５（図１１）におけるＸーＸ視図である。
【図７】請求項２の発明の苺パック収納用トレーの実施の形態を示す斜視図である。
【図８】同、十字状中仕切りを外した状態を示す斜視図で、（ａ）は十字状中仕切り２０を、（ｂ）はトレーを示す斜視図である。
【図９】同、苺パック収納用トレーの展開図である。
【図１０】同、十字状中仕切の展開図である。
【図１１】同、トレーに苺パックを収納した状態を示す斜視図である。
【発明を実施するための形態】
【００１６】
請求項１の発明の苺パック収納用トレーの実施の形態を、図１〜図６に基づいて説明する。
図１は、苺パックの斜視図である。図２は苺パック収納用トレー２００の全体を示す斜視図であり、図３は、図２の展開図である。また、図４は掛架部および係止部の拡大斜視図である。図５は、苺パックを収納した状態を示す斜視図である。
【００１７】
苺パック３０は、ＰＥＴ樹脂等からなる透明のプラスチック製容器であり、図１に示すように、底部３２と上に向かって拡がった周壁３１とからなる略直方体の形状をしており、上端周縁にフランジ３３が形成されている。フランジ３３は、ここでは、長手方向の部分を長縁３３ａ、これと直角方向の部分を短縁３３ｂ、四隅の部分をそれぞれ隅縁３３ｃと称するものとする。
【００１８】
苺パック収納用トレー２００は、図２に示すように、底面１と、その縁部から立設する左右側壁２Ａと、前後側壁３Ａとで直方体の皿状に形成され、上部は開放されている。
左右側壁２Ａは、二重壁であり底面１から垂直に立設され、前後側壁３Ａは、一枚の壁で僅かに上拡がりに傾斜している。
そして、前後側壁３Ａの内壁面直前には、左右側壁２Ａに連接された支持片２ｃが立設されている。支持片２ｃの下端は前後側壁３Ａ下端線上に当接し、上端部は前後側壁３Ａから内側へ離れた傾斜を持たせて立設されている。
支持片２ｃの長さは、前後側壁３Ａの３分の１以上あり、高さは、苺パック３０の高さ寸法より高くしてある。なお、支持片２ｃは、左右側壁２Ａ端から若干斜めに折り曲げてあるだけで、固定はしてない。
【００１９】
左右側壁２Ａの上端縁には突片２ｅがそれぞれ２個設けられ、前後側壁３Ａの中央部には当接片３ｂが設けられている。そして、底部の縁部には左右側壁２Ａの内壁片２ａに設けられた係止片２ｄおよび突片２ｅが嵌合する嵌合溝１ａが設けられている。
【００２０】
左右側壁２Ａの内側中央部には苺パック３０を支持する掛架部５と苺パック３０の移動を規制する係止部４が設けられている。
掛架部５は、苺パック３０のフランジの隅縁３３ｃを案内するように、隅縁３３ｃの曲線に近いガイド５ａを有し内壁面から水平に突出している。これは、左右側壁２Ａの内壁片２ａに折り目と切れ目を設けて形成している。
係止部４は、左右側壁２Ａの上端部から鋭角に傾斜して掛架部５に繋がっており、掛架部５を支持するとともに、この左右端が苺パック３０のフランジ３３に当接して移動を規制する。
【００２１】
この苺パック収納用トレー２００は、図３に示す一枚の段ボール１００を、折り目に沿って折り曲げることによって、組み立てられる。
段ボール１００には、ほぼ中央に形成された矩形の底面１と、主折り目Ａを介して連設された一対の左右側壁片２と一対の前後側壁片３とが形成されている。
【００２２】
底面１の左右側壁片２との主折り目Ａ上には、左右側壁片２の係止片２ｄと突片２ｅが挿嵌するための細長に開口した係止孔１ａが設けられている。また、底面１の中央部左右には、収納された苺パック３０を取り出すための押上片１ｂが形成されている。
【００２３】
左右側壁片２は、主折り目Ａに連設した外壁片２ｂと、これに二重折り目Ｂを介して連設された内壁片２ａと、内壁片２ａの両端に折り目Ｄを介して連設された支持片２ｃとからなる。
折り目Ｄは、主折り目Ａに対して、直角ではなく、広角に形成されている。
内壁片２ａ上端縁には底面１の係止孔１ａに嵌挿する係止片２ｄが設けられ、中央部には、掛架部５と係止部４を形成するための折り目Ｅ、Ｆと切抜部５ｂが設けられている。また、二重折り目Ｂには、突片２ｅを形成するための、折り目Ｇ、Ｈ、Ｊと切れ目Ｋが設けられている。
【００２４】
前後側壁片３は、左右側壁片２に対して直角方向の主折り目Ａに連設して設けられ、その両端には折り目Ｃを介して差込片３ａが連設されている。この差込片３ａの上端側には折り目Ｌが設けられている。なお、外端から折り目Ｌまでの寸法は、二重折り目Ｂの寸法より若干小さ目にしている。
【００２５】
次に、図３に示した段ボール１００から、図２の苺パック収納用トレー２００への組立について説明する。
まず、左右側壁片２と底面１の主折り目Ａ、前後側壁片３と底面１の主折り目Ａ、左右側壁片２の二重折り目Ｂ、前後側壁片３の折り目Ｃを紙面手前側へ折り曲げ、また、内壁片２ａの折り目Ｄを紙面裏側へ折り曲げることにより、折り癖を付ける。二重折り目Ｂの折り曲げにより、コ字状の突片２ｅが突出する。
また、差込片３ａ内の折り目Ｌを内側へ折り曲げ、また、掛架部５の折り目Ｅ、Ｆを折り曲げる。
【００２６】
組立ては、左右側壁片２を底面１に対して立ち上げて、差込片３ａを折り曲げる。そして、前後側壁片３を立ち上げ、差込片３ａを左右側壁片２の内側へ折り曲げ、内壁片２ａを二重折り目Ｂから折り曲げて差込片３ａを挟み込んで、係止片２ｄを底面１の係止孔１ａへ挿嵌する。
さらに、支持片２ｃを前後側壁３Ａの内面側に立設する。支持片２ｃは、折りグセにより、その下端は前後側壁３Ａの下端線（底面１と前後側壁片３との境界である主折り目Ａ線上）に当接して、上方へ向かって漸次内側へ傾斜している。また、左右側壁２Ａの組立により自動的に突片２ｅと、掛架部５および係止部４が形成される（図４参照）。これにより、苺パック収納用トレー２００の組立が完成する。
【００２７】
組み立てられた苺パック収納用トレー２００は、前後側壁片３の差込片３ａが左右側壁片２の内壁片２ａと外壁片２ｂの間に挿入され、左右側壁片２の係止片２ｄが底面１の係止孔１ａに挿入されて、前後側壁３Ａと左右側壁２Ａが立設状態に保持される。
【００２８】
図５は、１個の苺パック３０を苺パック収納用トレー２００へ収納した状態を示すもので、苺パック３０のフランジ３３の一方の長縁３３ａを２個の支持片２ｃで支持し、他方の長縁３３ａの両端の隅縁３３ｃをそれぞれ掛架部５で支持している。支持片２ｃは、図６に示すように、その下端が前後側壁３Ａの下端線上に当接している。
また、掛架部５のガイド５ａは隅縁３３ｃに嵌合して、苺パック３０の移動を規制している。なお、係止部４は、苺パック３０の仕切の役目を有している。
【００２９】
この苺パック収納用トレー２００は、積み重ねて保存することができる。積み重ねは、下段における苺パック収納用トレー２００の左右側壁２Ａの上端縁の突片２ｅに、上段の苺パック収納用トレー２００の底面１の係止孔１ａを嵌合させるだけでよい。これにより、上段の苺パック収納用トレー２００は、下段の苺パック収納用トレー２００の左右側壁２Ａに支持され、前後側壁３Ａの上端の当接片３ｂで左右方向の移動が規制され、安定性よく、多段に積み重ねることができる。
なお、苺パック収納用トレー２００から苺パック３０を取り出すときは、トレーの裏面から押上片１ｂを押上げて苺パック３０を浮かせて取り出す。
【００３０】
次に、請求項２の発明の苺パック収納用トレーの実施の形態を、図７〜図１１に基づいて説明する。
図７は、苺パック収納用トレー２０１の全体を示す斜視図であり、図８は、十字状中仕切りを外した状態を示す斜視図で、図９は図８のトレーの展開図である。また、図１０は、図８の十字状中仕切り２０の展開図である。図１１は、この苺パック収納用トレーに苺パック３０を一個収納した状態を示す斜視図である。
【００３１】
苺パック収納用トレー２０１は、苺パック３０を４個収納できる大きさのもので、図７に示すように、底面１１と、その縁部から立設する一対の左右側壁１２Ａと、前後側壁１３Ａとで直方体に形成され、内部中央部に縦仕切２１Ａと横仕切２２Ａがクロスした十字状中仕切２０が設けられている。
【００３２】
左右側壁１２Ａは、二重壁で形成され、前後側壁１３Ａは、一枚もので形成されている。そして、前後側壁１３Ａの内壁面直前には、左右側壁１２Ａに連接された支持片１２ｃが立設されている。
支持片１２ｃは、下端部は前後側壁１３Ａの下端線上に当接し、上端は前後側壁１３Ａから内側へ離れた傾斜を持たせて立設されている。
支持片１２ｃの長さは、前後側壁１３Ａの３分の１以上あり、高さは、苺パック３０の高さ寸法より高くしてある。
【００３３】
左右側壁１２Ａの上端縁には突片１２ｅがそれぞれ２個設けられている。また、図示してないが、底面１１の縁部には左右側壁１２Ａの内壁片１２ａに設けられた係止片１２ｄおよび突片１２ｅが嵌合する嵌合溝１１ａが設けられている。
【００３４】
苺パック収納用トレー２０１内の中央部には両端が前後側壁１３Ａに当接した縦仕切２１Ａと、これに中央部で直交して十字状に組み合わせた横仕切２２Ａと、からなる十字状中仕切２０が設けられている。横仕切２２Ａには上方へ突出する立設片２２Ｂが縦仕切２１Ａの両側に形成されている。
【００３５】
この苺パック収納用トレー２０１は、図９に示す一枚の段ボール１０１を、折り目に沿って折り曲げることによって、組み立てられ、これに別途段ボールで組み立てた十字状中仕切り２０を取り付けている。
トレー部分は、中央に形成された矩形の底面１１と、主折り目Ａを介して連設された一対の左右側壁片１２と一対の前後側壁片１３とからなる。
底面１１には、左右側壁片１２との主折り目Ａ上に、左右側壁片１２の係止片１２ｄが挿嵌する係止孔１１ａが設けられている。
【００３６】
左右側壁片１２は、主折り目Ａに連設した外壁片１２ｂと、これと二重折り目Ｂを介して内壁片１２ａが連設され、内壁片１２ａの両端には折り目Ｄを介して支持片１２ｃが延設されている。内壁片１２ａには底面１１の係止孔１１ａに嵌挿される係止片１２ｄが設けられている。
また、前後側壁片１３は、左右側壁片１２に対して直角方向の主折り目Ａに連設され、両端には折り目Ｃを介して差込片１３ａが連設されている。この差込片１３ａの上端側には折り目Ｌが設けられている。
【００３７】
次に十字状中仕切り２０について説明する。
十字状中仕切り２０は、図１０に示す縦仕切片２１と、横仕切片２２を折り目に沿って折り曲げることによって図８（ａ）の状態に組み立てられる。縦仕切２１Ａは、折り目がなく係合溝２１ａが形成された短冊状のもので、横仕切片２２は、横中央部に、切れ目２２ａが断続的に形成され、縦の切れ目２２ｂと横の折り目２２ｅ，２２ｆが形成されている。２２ｃは抜き穴で、２２ｄは係止溝である。
【００３８】
苺パック収納用トレー２０１のトレー部分は、段ボール１０１から主折り目Ａ、二重折り目Ｂ、折り目Ｃを紙面紙面手前側へ折り曲げ、折り目Ｄを紙面裏側へ折り曲げることにより組み立てられる。
すなわち、左右側壁片１２を底面１１に対して立ち上げ、差込片１３ａを折り曲げて前後側壁片１３を立ち上げる。そして、差込片１３ａを左右側壁片１２の内側へ折り曲げて、これを挟み込んで、内壁片１２ａを二重折り目Ｂから折り曲げ、係止片１２ｄを底面１１の係止孔１１ａへ挿嵌する。
さらに、支持片１２ｃを前後側壁１３Ａの内面側に立設する。支持片１２ｃは、折りグセにより、下端は前後側壁１３Ａの下端線上に当接し、上方へ向かって漸次内側へ傾斜した状態としている。
【００３９】
続いて、十字状中仕切り２０を組み立てる。まず、横仕切片２２の折り目２２ｅと折り目２２ｆとから二つ折りにする。これにより、上方へ突出した立設片２２Ｂが形成された伏コ字状の横仕切２２Ａができる。これに縦仕切片２１をクロスさせて係合溝２１ａを係止溝２２ｄに嵌合させれば、十字状中仕切り２０ができあがる。
これをトレーの中央部へ取り付ければ苺パック収納用トレー２０１の組立が完成する。
【００４０】
図１１は、１個の苺パック３０を苺パック収納用トレー２０１へ収納した状態を示すもので、苺パック３０のフランジ３３の一方の短縁３３ｂを支持片１２ｃで支持し、他方の短縁３３ｂを横仕切２２Ａの立設片２２Ｂで支持している。支持片１２ｃは、図６に示すように、その下端が前後側壁１３Ａの下端線上に当接している。
縦仕切２１Ａは、苺パック３０の横ずれを防止し、苺パック３０同士が衝突するのを防止している。
【符号の説明】
【００４１】
１００  段ボール
１０１  段ボール
２００  苺パック収納用トレー（２個用）
２０１  苺パック収納用トレー（４個用）
１  底面
１ａ  係止孔
１ｂ  押上片
２Ａ  左右側壁
２  左右側壁片
２ａ  内壁片
２ｂ  外壁片
２ｃ  支持片
２ｄ  係止片
２ｅ  突片
３Ａ  前後側壁
３  前後側壁片
３ａ  差込片
３ｂ  当接片
４  係止部
５  掛架部
５ａ  ガイド
５ｂ  切抜部
１１  底面
１１ａ  係止孔
１２Ａ  左右側壁
１２  左右側壁片
１２ａ  内壁片
１２ｂ  外壁片
１２ｃ  支持片
１２ｄ  係止片
１２ｆ  嵌合溝
１２ｇ  通気口
１２ｈ  係合溝
１２ｋ  切込み
１２ｎ  緩衝切欠部
１３Ａ  前後側壁
１３  前後側壁片
１３ａ  差込片
１３ｂ  当接片
１３ｃ  突片
１３ｄ  上端縁
２０  十字状中仕切
２１Ａ  縦仕切
２１  縦仕切片
２１ａ  係合溝
２２Ａ  横仕切
２２Ｂ  立設片
２２  横仕切片
２２ａ  切れ目
２２ｂ  切れ目
２２ｃ  抜き穴
２２ｄ  係止溝
２２ｅ  折り目
２２ｆ  折り目
３０  苺パック
３１  周壁
３２  底部
３３  フランジ
３３ａ  長縁
３３ｂ  短縁
３３ｃ  隅縁
Ａ  主折り目
Ｂ  二重折り目
Ｃ  折り目
Ｄ  折り目
Ｅ  折り目
Ｆ  折り目
Ｇ  折り目
Ｈ  折り目
Ｊ  折り目
Ｋ  切れ目
【図１】
0006008824.tif 000002
【図２】
0006008824.tif 000003
【図３】
0006008824.tif 000004
【図４】
0006008824.tif 000005
【図５】
0006008824.tif 000006
【図６】
0006008824.tif 000007
【図７】
0006008824.tif 000008
【図８】
0006008824.tif 000009
【図９】
0006008824.tif 000010
【図１０】
0006008824.tif 000011
【図１１】
0006008824.tif 000012